(57)【要約】【課題】  車内の各部に配設される複数の表示装置に同一でない映像を表示させる車両用映像表示制御装置において、表示映像の生成のための処理を低減する。【解決手段】  カーナビゲーション装置１は、モニタ３、オンスクリーン機能付きモニタ４に共通に表示させる共通映像としての地図を生成し、生成した共通映像をモニタ３、オンスクリーン機能付きモニタ４に表示させる。また、オンスクリーン機能付きモニタ４にのみ表示させるためのメモリ地点を読み出し、オンスクリーン機能付きモニタ４にのみ、上記地図に重ねてこのメモリ地点を表示させる。【選択図】        図１
2005156238.tif 000002
【特許請求の範囲】
【請求項１】
車内の各部に配設される複数の表示装置に共通に表示させる共通映像を生成し、生成した共通映像を前記複数の表示装置（３、４）に表示させる共通映像表示制御手段（３４０）と、
前記複数の表示装置の一部にのみ表示させるための個別情報を記憶する記憶媒体（１４、１６）と、
前記記憶媒体が記憶する前記個別情報に基づいて、前記共通映像と異なる個別映像を前記共通映像と共に前記一部の表示装置に表示させる個別映像表示制御手段（３５０）と、を備えた車両用映像表示制御装置。
【請求項２】
前記共通映像表示制御手段が表示させる共通映像は地図映像であり、
前記記憶媒体が記憶する個別情報は、メモリ地点情報であり、
前記個別映像表示制御手段は、前記記憶媒体が記憶する前記メモリ地点情報に基づいた前記地図映像上の位置に重なるように前記個別映像を表示させることを特徴とする請求項１に記載の車両用映像表示制御装置。
【請求項３】
ユーザの操作に基づいて信号を出力する前記一部の表示装置からの信号に基づいて前記個別情報を特定し、この特定した前記個別情報を前記記憶媒体に記憶させることを特徴とする個別情報記憶手段（３７０）を備えたことを特徴とする請求項１または２に記載の車両用映像表示制御装置。
【請求項４】
請求項１ないし３のいずれか１つの共通映像表示制御手段に基づいて前記共通映像を表示し、請求項１ないし３のいずれか１つの前記個別映像表示手段に基づいて、前記共通映像と共に前記個別映像を表示する表示装置。
【発明の詳細な説明】
【技術分野】
【０００１】
本発明は、車内の各部に配設される複数の表示装置に同一でない映像を表示させる車載映像表示制御装置に関する。
【背景技術】
【０００２】
従来、例えば車両用ナビゲーション装置は、地図データを読み出し、この地図データに基づいて地図映像を生成し、生成した地図映像をモニタ（表示装置）に表示するようになっている。
【０００３】
また、モニタは、前席、後席等、車内の各部に配設される場合がある。このような場合、それらのモニタに映像を表示させる方法としては、従来２種類ある。すなわち、１つの映像を生成し、その映像を共通画像としてそれぞれのモニタに等しく表示させる方法と、それぞれのモニタのために独立に複数の画像を生成し、それら独立に生成された画像を個々のモニタに表示させる方法である。
【発明の開示】
【発明が解決しようとする課題】
【０００４】
複数のモニタに同一の映像が表示されるようになっている場合は、他者に知られたくない情報の表示を、自分の前のモニタだけに行わせるということができない。例えば、後席の乗員が、後席に配されたモニタに付属の操作ボタン等を用いてメモリ地点を設定すると、必ずそのメモリ地点は他のモニタの地図上にも表示されてしまい、プライバシーが守られない。
【０００５】
複数のモニタに同一でない映像を表示させたいというニーズに対応するためには、上記した通り、前席モニタ、後席モニタ等のそれぞれのモニタに専用の映像を生成して表示させるようになっていればよいが、そのためには、個々のモニタ毎に映像を生成するための処理が必要となる。これを実現するには、映像生成のための描画ユニット等の装置の処理能力を高くするか、モニタ毎に描画ユニットを設ける必要があるが、いずれの場合も高コストとなってしまう。
【０００６】
本発明は上記点に鑑み、車内の各部に配設される複数の表示装置に同一でない映像を表示させる車載映像表示制御装置において、表示映像の生成のための処理を低減することを目的とする。
【課題を解決するための手段】
【０００７】
上記目的を達成するための請求項１に記載の発明は、車内の各部に配設される複数の表示装置に共通に表示させる共通映像を生成し、生成した共通映像を前記複数の表示装置（３、４）に表示させる共通映像表示制御手段（３４０）と、前記複数の表示装置の一部にのみ表示させるための個別情報を記憶する記憶媒体（１４、１６）と、前記記憶媒体が記憶する前記個別情報に基づいて、前記共通映像と異なる個別映像を前記共通映像と共に前記一部の表示装置に表示させる個別映像表示制御手段（３５０）と、を備えた車両用映像表示制御装置である。
【０００８】
このように、共通映像表示制御手段および個別映像表示制御手段により、複数の表示装置用の一部は共通映像と共に個別映像を表示するので、車内の各部に配設される複数の表示装置に同一でない映像を表示させることができる。また、これら複数の表示装置に表示させる映像のうち、共通の映像は、共通映像表示制御手段によって一度に生成されるので、表示映像の生成のための処理を低減することができる。
【０００９】
また、請求項２に記載の発明は、請求項１に記載の車両用映像表示制御装置において、前記共通映像表示制御手段が表示させる共通映像は地図映像であり、前記記憶媒体が記憶する個別情報は、メモリ地点情報であり、前記個別映像表示制御手段は、前記記憶媒体が記憶する前記メモリ地点情報に基づいた前記地図映像上の位置に重なるように前記個別映像を表示させることを特徴とする。
【００１０】
また、請求項３に記載の発明は、請求項１または２に記載の車両用映像表示制御装置において、ユーザの操作に基づいて信号を出力する前記一部の表示装置からの信号に基づいて前記個別情報を特定し、この特定した前記個別情報を前記記憶媒体に記憶させることを特徴とする個別情報記憶手段（３７０）を備えたことを特徴とする。
【００１１】
また、請求項４に記載の発明は、請求項１ないし３のいずれか１つの共通映像表示制御手段に基づいて前記共通映像を表示し、請求項１ないし３のいずれか１つの前記個別映像表示手段に基づいて、前記共通映像と共に前記個別映像を表示する表示装置である。
【００１２】
なお、上記各手段の括弧内の符号は、後述する実施形態に記載の具体的手段、または具体的手段として下記制御回路１８を機能させるためのソフトウェアの処理との対応関係を示すものである。
【発明を実施するための最良の形態】
【００１３】
以下、本発明の一実施形態について説明する。図１に、車両の車室２内におけるカーナビゲーション装置１、モニタ３、オンスクリーン機能付きモニタ４の配置を示す。カーナビゲーション装置１およびモニタ３は、車室２内の前席近くに配設され、オンスクリーン機能付きモニタ４は、車室２内の後席近くに配設されている。モニタ３は、カーナビゲーション装置１からの映像信号をアナログＲＧＢケーブル５を介して受けることで映像を表示する。オンスクリーン機能付きモニタ４は、カーナビゲーション装置１からの映像信号および命令信号をそれぞれアナログＲＧＢケーブル６および車内ＬＡＮケーブル７を介して受けることで映像を表示する。また、モニタ３の表示は運転席や助手席の乗員が視認することができるようになっており、オンスクリーン機能付きモニタ４の表示は後席の乗員が視認することができるようになっている。
【００１４】
本実施形態においては、モニタ３やオンスクリーン機能付きモニタ４には共通映像としての地図が表示される。そして、後席乗員がオンスクリーン機能付きモニタ４に対して所定の操作を行うことで、後席専用のメモリ地点がカーナビゲーション装置１に登録された場合、その後席専用のメモリ地点を示す個別映像は、上記した地図に重ねられてオンスクリーン機能付きモニタ４に表示されるが、モニタ３には表示されない。
【００１５】
以下、このようなカーナビゲーション装置１、モニタ３、オンスクリーン機能付きモニタ４の構成および作動について説明する。
【００１６】
図２に、カーナビゲーション装置１、モニタ３、オンスクリーン機能付きモニタ４のハードウェア構成を示す。
【００１７】
モニタ３は、液晶ディスプレイ等の表示面およびスピーカを有し、制御回路１８からのアナログＲＧＢケーブル５を介した映像信号の入力に応じてその表示面に当該映像を表示する。
【００１８】
オンスクリーン機能付きモニタ４は、制御部４１、操作スイッチ群４２、およびモニタ４３を有している。
【００１９】
モニタ４３は、モニタ３と同様の構成および機能を備え、制御部４１からの映像信号の入力に応じて液晶ディスプレイ等の表示面に当該映像を表示する。
【００２０】
操作スイッチ群４２は、複数のメカニカルスイッチ、モニタ４３の表示面に重ねて設けられたタッチパネル等の入力装置から成り、ユーザによるメカニカルスイッチの押下（例えば押しボタンの押下）、タッチパネルのタッチ等の操作に基づいた信号を制御部４１に出力する。
【００２１】
制御部４１は、図示しないＣＰＵ、ＲＡＭ、ＲＯＭ等を備え、このＣＰＵがこのＲＯＭから読み出したプログラムを実行することで、その作動を実現する。具体的には、制御部４１は、後席乗員による操作スイッチ群４２の操作に基づいた信号を、車内ＬＡＮケーブル７を介して制御回路１８に出力する。
【００２２】
また制御部４１は、アナログＲＧＢケーブル６を介した制御回路１８からの映像信号および車内ＬＡＮケーブル７を介した制御回路１８からの命令信号に基づいて、モニタ４３に映像信号を出力する。なお、後述する通り、アナログＲＧＢケーブル６からの映像信号は、共通映像の信号であり、車内ＬＡＮケーブル７からの命令信号は、個別映像の表示のための命令信号である。より詳細には、制御部４１は、車内ＬＡＮケーブル７から、モニタ４３の表示画面上の座標位置の情報を命令信号として受け、アナログＲＧＢケーブル６からの映像信号に基づく映像の、その座標位置に対応する部分に、ＲＯＭに保存されている所定のアイコン（個別映像に相当する）を重ね、その結果の映像信号をモニタ４３に出力する。
【００２３】
カーナビゲーション装置１は、位置検出器１１、リモコンセンサ１３、メモリ１４、地図データ入力器１６、操作スイッチ群１７、および制御回路１８を有している。
【００２４】
位置検出器１１は、いずれも周知の図示しない地磁気センサ、ジャイロスコープ、車速センサ、およびＧＰＳ受信機等のセンサを有しており、これらセンサの各々の性質に基づいた現在位置を特定するための情報を制御回路１８に出力する。
【００２５】
リモコンセンサ１３は、ユーザの操作に基づいて赤外線等による無線信号を送信するリモコン１９から受信した信号を制御回路１８に出力する。
【００２６】
メモリ１４は、ＲＯＭ、ＲＡＭ、フラッシュメモリ等から成る。ＲＡＭおよびフラッシュメモリは制御回路１８の制御に基づいてデータを記憶し、またＲＡＭ、ＲＯＭ、フラッシュメモリは記憶しているデータを制御回路１８に出力する。
【００２７】
地図データ入力器１６は、ＨＤＤ（ハードディスクドライブ）、ＤＶＤ−ＲＯＭ、ＣＤ−ＲＯＭ等の不揮発性記憶媒体を備え、制御回路１８からの制御命令等に基づいて、この不揮発性記憶媒体に対してデータの読み出しおよび可能であればデータの書き込みの制御を行う。この不揮発性記憶媒体が記憶している情報としては、上記した位置検出の精度向上のためのいわゆるマップマッチング用データ、地図データおよび目印データを含む各種データ、制御回路１８の動作のためのプログラム等がある。
【００２８】
操作スイッチ群１７は、カーナビゲーション装置１に設けられた複数のメカニカルスイッチ、当該表示面に重ねて設けられたタッチパネル等の入力装置から成り、ユーザによるメカニカルスイッチの押下、タッチパネルのタッチに基づいた信号を制御回路１８に出力する。なお、操作スイッチ群１７は、モニタ３の表示面の周囲に設けられていてもよい。
【００２９】
制御回路１８は、メモリ１４のＲＯＭ、フラッシュメモリ、地図データ入力器１６から読み出したカーナビゲーション装置１の動作のためのプログラムを実行し、その実行の際には上記ＲＯＭ、ＲＡＭ、フラッシュメモリから情報を読み出し、ＲＡＭ、フラッシュメモリに対して情報の書き込みを行い、モニタ３、位置検出器１１、リモコンセンサ１３、操作スイッチ群１７、制御部４１等と信号の授受を行う。
【００３０】
制御回路１８の具体的な処理としては、位置検出器１１からの信号に基づいて、車両の現在位置を特定する現在位置特定処理、操作スイッチ群１７、リモコンセンサ１３等からユーザによる目的地の入力を受け付け、現在位置から当該目的地までの走行経路を算出する経路検索処理、地図データ入力器１６から地図を読み出し、算出された走行経路やメモリ地点等を地図データ入力器１６の地図データと共に表示装置１２に表示させる地図等表示処理がある。
【００３１】
図３に、地図等表示処理のプログラムをフローチャートとして示す。制御回路１８は、ユーザによる操作スイッチ群１７、リモコン１９等の所定の操作を検出することにより、この地図表示処理のプログラムの実行を開始する。
【００３２】
まずステップ３１０では、地図データ入力器１６から地図データを読み出す。読み出す地図データは、具体的には、上記した現在位置特定処理によって特定した現在位置の周辺、あるいはユーザの操作スイッチ群１７、操作スイッチ群４２、リモコン１９の操作を用いた指定に基づく位置の周辺の、モニタ３およびモニタ４３に表示するための地図データである。
【００３３】
次にステップ３２０では、共通情報を読み出す。共通情報とは、車室２内の全てのモニタに表示させてもよい情報をいう。本実施形態における共通情報とは、メモリ地点のうち、車室２内の全てのモニタ３、モニタ４３に表示させてもよいメモリ地点をいう。メモリ１４または地図データ入力器１６の一方または両方には、共通情報としてのメモリ地点のリスト（以下共通メモリ地点リストと記す）が保存されている。このリストは、メモリ地点の座標（緯度、経度）、その地点の施設名称、施設種別等の情報を含んでいる。ステップ３２０では、この共通メモリ地点リストから、ステップ３１０で読み出した表示のための地図の領域に含まれるものを検索して読み出す。
【００３４】
なお、メモリ地点とは、すなわちユーザの登録等によってカーナビゲーション装置１の記憶媒体（メモリ１４のフラッシュメモリ、地図データ入力器１６のＨＤＤ等）に記憶された地図上の地点をいう。
【００３５】
次にステップ３３０では、個別情報を読み出す。個別情報とは、車室２内の一部のモニタにのみ表示させてもよい情報をいう。本実施形態における個別情報とは、メモリ地点のうち、車室２内の全てのモニタ４３にのみ表示させてもよい、後席専用のメモリ地点をいう。メモリ１４または地図データ入力器１６の一方または両方には、個別情報としてのメモリ地点のリスト（以下個別メモリ地点リストと記す）が保存されている。このリストは、メモリ地点の座標（緯度、経度）、その地点の施設名称、施設種別等の情報を含んでいる。ステップ３３０では、この個別メモリ地点リストから、ステップ３１０で読み出した表示のための地図の領域に含まれるものを検索して読み出す。
【００３６】
次にステップ３４０では、地図描画および共通情報の描画を行う。具体的には、ステップ３１０で読み出した地図データに基づいた地図を生成し、生成した地図上の、ステップ３２０で読み出した共通情報としてのメモリ地点の座標に対応する位置に、そのメモリ地点の施設種別等に応じたアイコンを重ねた映像を生成する。そして、この重ね合わせによって生成された共通映像をアナログ映像信号として、アナログＲＧＢケーブル５、６を介してモニタ３および制御部４１に出力する。なお、モニタ３、モニタ４３に表示させる地図としては、平面地図、３次元投影地図等がある。
【００３７】
次にステップ３５０では、個別情報描画命令を出力する。具体的には、ステップ３３０で読み出した個別情報としてのメモリ地点を、ステップ３４０でモニタ４３に表示させた映像の画面中のどの位置に重ねるかをメモリ地点毎に特定し、その特定した位置の情報を、車内ＬＡＮケーブル７を介して制御部４１に出力する。
【００３８】
より具体的には、表示地図が平面地図の場合、その表示地図の表示画面における中心座標（緯度、経度）、表示地図の縮尺、表示地図の向き（すなわち地図の方位と表示画面の方向との対応）等の情報を元に、モニタ４３の表示画面中の、各メモリ地点を重ねて表示する位置座標（Ｘ、Ｙ）を特定する。また、表示地図が３次元投影地図の場合、その表示地図の表示画面における中心座標（緯度、経度）、表示地図の縮尺、表示地図の向きに、表示の視点（中心座標に対する相対位置）等を加えた情報を元に、各メモリ地点を重ねて表示する位置座標（Ｘ、Ｙ）を特定する。
【００３９】
次にステップ３６０では、メモリ地点の登録の要求があるか否かを判定する。具体的には、操作スイッチ群１７、リモコン１９、操作スイッチ群４２から、メモリ地点登録のための所定の入力（例えばモニタ３、モニタ４３に表示されたメモリ地点登録ボタンのタッチパネルを用いた押下）が行われたか否かを判定する。メモリ地点の登録の要求があれば処理はステップ３７０に進み、要求が無ければ処理はステップ３１０に戻る。
【００４０】
ステップ３７０では、メモリ地点の記憶を行う。具体的には、ユーザの操作スイッチ群１７、リモコン１９、操作スイッチ群４２の所定の操作に基づいて、現在位置等の地点をメモリ地点としてメモリ１４のフラッシュメモリまたは地図データ入力器１６のＨＤＤに記憶させる。このとき、操作スイッチ群１７、リモコン１９を用いて、その地点の位置に加え、名称、種別が、メモリ地点情報として入力できるようになっていてもよい。
【００４１】
ただし、この登録が操作スイッチ群１７またはリモコン１９を用いたものであれば、当該地点の座標等の情報を共通メモリ地点リストに記憶させる。また、この登録が操作スイッチ群４２を用いたものであれば、当該地点の座標等の情報を個別メモリ地点リストに記憶させる。すなわち、前席からのメモリ登録は共通情報として記憶させ、後席からのメモリ登録は個別情報として記憶させる。ステップ３７０の後、処理はステップ３１０に戻る。
【００４２】
このように、カーナビゲーション装置１は、ステップ３１０、３２０、３４０によって、モニタ３、オンスクリーン機能付きモニタ４に共通に表示させる共通映像としての地図を生成し、生成した共通映像をモニタ３、オンスクリーン機能付きモニタ４に表示させ、またステップ３３０によって、個別メモリ地点リストの情報に基づいて、オンスクリーン機能付きモニタ４にのみ表示させるための個別情報を特定し、ステップ３５０によって、この個別情報を共通映像と共にオンスクリーン機能付きモニタ４に表示させる。
【００４３】
このようなステップ３１０〜３７０の処理が所定の周期で繰り返されることにより、モニタ３は地図（共通映像）を連続的に表示し、モニタ４３は、アナログＲＧＢケーブル６からの信号に基づく地図上の、車内ＬＡＮケーブル７からの命令信号に基づく位置にアイコン（個別映像）を重ねた映像を連続的に表示する。
【００４４】
以上のようなカーナビゲーション装置１の作動により、オンスクリーン機能付きモニタ４は共通映像と共に個別映像を表示するので、車内の各部に配設される複数のモニタに同一でない映像を表示させることができる。そして、これら複数のモニタに表示させる映像のうち、共通映像は、共通映像表示制御手段によって一度に生成されるので、表示映像の生成のための処理を低減することができる。
【００４５】
なお、上記した実施形態においては、個別情報はメモリ地点の情報となっているが、必ずしもこのようになっていなくてもよい。個別情報は、複数の表示装置の一部にのみ表示させるための情報であればどのようなものでもよい。
【００４６】
また、カーナビゲーション装置１は、ステップ３６０、３７０により、ユーザの操作スイッチ群４２の操作に基づいて信号を出力するオンスクリーン機能付きモニタ４からの信号に基づいて個別情報として登録されるメモリ地点を特定し、この特定したメモリを個別メモリ地点リストとしてメモリ１４または地図データ入力器１６に記憶させる。
【００４７】
また、本実施形態においては、オンスクリーン機能付きモニタ４には個別情報が表示され、モニタ３には共通情報のみが表示されるようになっているが、モニタ３にも、モニタ３にのみ表示してもよい個別情報が表示されるようになっていてもよい。これは、例えば、のモニタ３もオンスクリーン機能付きモニタ４と同様のオンスクリーン機能を有しており、メモリ１４、地図データ入力器１６は、モニタ３用の個別メモリ地点リストおよびオンスクリーン機能付きモニタ４用の個別メモリ地点リストの２種類の個別メモリ地点リストを有しており、制御回路１８は、それぞれの個別メモリ地点リストに基づいて、モニタ３およびオンスクリーン機能付きモニタ４に共通情報と併せて個別情報を表示させるようになっていることで実現可能である。
【００４８】
また、上記のように、各モニタがそれぞれ自己用の個別情報を表示するようになっている場合、ステップ３７０においてメモリ地点の登録を行うときに、そのメモリ地点が個別情報であるか共通情報であるかを、ユーザの所定の操作によって特定するようになっていてもよい。
【００４９】
また、上記した実施形態では、制御回路１８が、モニタ３、モニタ４３の表示画面上のどの位置に個別情報としてのメモリ地点を重ね合わせればよいかを計算しているが、必ずしもこのようになっていなくともよく、このような計算を制御部４１で行うようになっていてもよい。この場合、制御回路１８は、車内ＬＡＮケーブル７を介して制御部４１に、表示地図の表示画面における中心座標（緯度、経度）、表示地図の縮尺、表示地図の向き、表示の視点（中心座標に対する相対位置）等を、命令信号として出力し、制御部４１は、この命令信号を元に、各メモリ地点を重ねて表示する表示画面中の位置座標（Ｘ、Ｙ）を特定するようになっていればよい。
【００５０】
また、上記した実施形態においては共通映像に個別映像を重ねる処理は制御部４１が行うようになっているが、この処理は制御回路１８において行うようになっていてもよい。共通画像の生成が制御回路１８で一元的に行うようになっていれば、本発明の目的は達成される。
【００５１】
また、上記した実施形態においては、制御部４１は、モニタ４３の表示画面上の座標位置の情報を命令信号として受け、モニタ４３上のその座標位置に対応する部分に、ＲＯＭに保存されている所定の個別映像を表示するようになっているが、命令信号にはメモリ地点の名称、種別等の情報が含まれ、制御部４１が表示させる個別映像は、この命令信号中の名称、種別等の情報に基づいて切り替わるようになっていてもよい。
【００５２】
また、上記した実施形態において、共通映像の伝送の方式はアナログＲＧＢ方式のケーブルを用いたものとなっているが、必ずしもそのようになっていずともよく、例えばＮＴＳＣ、ＰＡＬ等のアナログ方式、ＤＶＩ等のデジタル方式、車載ＬＡＮによる伝送方式等で共通映像が伝送されていてもよい。
【図面の簡単な説明】
【００５３】
【図１】車室２内におけるカーナビゲーション装置１、モニタ３、オンスクリーン機能付きモニタ４の配置を示す図である。
【図２】カーナビゲーション装置１、モニタ３、オンスクリーン機能付きモニタ４のハードウェア構成を示す図である。
【図３】地図等表示処理のプログラムのフローチャートである。
【符号の説明】
【００５４】
１…カーナビゲーション装置、２…車室、３、４…モニタ、
４…オンスクリーン機能付きモニタ、５、６…アナログＲＧＢケーブル、
７…車内ＬＡＮケーブル、１１…位置検出器、１３…リモコンセンサ、１４…メモリ、
１６…地図データ入力器、１７…操作スイッチ群、１８…制御回路、１９…リモコン、
４１…制御部、４２…操作スイッチ群。
【図１】
2005156238.tif 000003
【図２】
2005156238.tif 000004
【図３】
2005156238.tif 000005